(57)【要約】【課題】部品点数を抑制でき、電子機器の取り付けのために必要とされる工数を抑制できる被取付部材の取付構造及び該取付構造を備えたスピーカユニットを提供する。【解決手段】スピーカユニット１００は被取付部材の取付構造１とスピーカ２を備えている。被取付部材の取付構造１はスピーカ２が取り付けられたカバー部材３を取り付け箇所４ａに取り付ける。被取付部材の取付構造１はスピーカ２が取り付けられたカバー部材３と固定部材７と凹溝８と係止アーム９を備えている。カバー部材３は内周面１０が断面円形の筒状に形成されている。固定部材７は取り付け箇所４ａに取り付けられる。凹溝８は内周面１０から凹でかつ該内周面１０の周方向に延在している。係止アーム９は固定部材７の周方向に間隔をあけて配置されかつ固定部材７から立設している。係止アーム９は凹溝８に係止する。係止アーム９の係止凸部１３は凹溝８内を移動自在である。【選択図】図３
2007221261.tif 000002
【特許請求の範囲】
【請求項１】
電子機器が取り付けられるとともに、内周面が断面円形の筒状に形成された被取付部材と、
前記被取付部材の内周面に設けられかつ該被取付部材の周方向に延在した係止受け部と、
前記被取付部材を取り付ける取り付け箇所に取り付けられる固定部材と、
前記固定部材から立設して、前記係止受け部と係止可能であるとともに、前記被取付部材の周方向に互いに間隔をあけて複数設けられた係止部と、
を備えたことを特徴とする被取付部材の取付構造。
【請求項２】
前記係止部が、前記被取付部材の周方向に等間隔に設けられたことを特徴とする請求項１記載の被取付部材の取付構造。
【請求項３】
前記係止受け部が、前記被取付部材の全周に亘って設けられていることを特徴とする請求項１又は請求項２記載の被取付部材の取付構造。
【請求項４】
前記係止受け部が、前記被取付部材の内周面から凹の凹溝であるとともに、該凹溝の内面に前記被取付部材の周方向に凸部と凹部とが交互に設けられて、凹溝の内面に凹凸が形成されていることを特徴とする請求項１乃至請求項３のうちいずれか一項に記載の被取付部材の取付構造。
【請求項５】
前記係止部が前記係止受け部に係止すると、前記固定部材の表面に対して、前記凹溝が傾く構成となっていることを特徴とする請求項１乃至請求項４のうちいずれか一項に記載の被取付部材の取付構造。
【請求項６】
前記電子機器がスピーカであって、
前記凹溝が、前記スピーカの軸芯に直交する方向に対して、傾いていることを特徴とする請求項１乃至請求項５のうちいずれか一項に記載の被取付部材の取付構造。
【請求項７】
請求項６に記載の被取付部材の取付構造を備えたことを特徴とするスピーカユニット。
【発明の詳細な説明】
【技術分野】
【０００１】
本発明は、例えば、自動車や船舶等の移動体などの構造物にスピーカなどの電子機器を取り付けるための被取付部材の取付構造及び該被取付部材の取付構造を備えたスピーカユニットに関する。
【背景技術】
【０００２】
従来から、移動体としての自動車や船舶には、各種の音声情報を出力するためにスピーカユニットが設けられている。スピーカユニットは、電子機器としてのスピーカと、該スピーカを前述した構造物に取り付けるための取付構造（例えば、特許文献１参照）とを備えている。
【０００３】
特許文献１に示された取付構造は、前述した建造物の壁面に取り付けられる取付部材と、スピーカに設けられたフレームと、前記取付部材との間にフレームを挟み込むとともに、前記スピーカを回転自在とする挟持部材と、を備えている。特許文献１に示された取付構造は、フレームが、スピーカの軸芯と前記建造物の壁面に直交する方向とが互いに傾いた状態で、スピーカを支持して、該スピーカが回転することで、該スピーカの向きを変更可能としている。
【特許文献１】特開２００１−２９８７８７号公報
【発明の開示】
【発明が解決しようとする課題】
【０００４】
前述した従来の取付構造は、スピーカに設けられたフレームと、前述した取付部材と、挟持部材と、さらにこれらを互いに固定するためのねじなどの固定部材を備えている。このように、従来の取付構造は、スピーカの向きを変更可能とするために部品点数が増加する傾向であった。さらに、従来の取付構造は、部品点数が増加して、電子機器としてのスピーカを建造物などに取り付けるための所要工数（取付構造を組み立てるための所要工数）が増加する傾向であった。
【０００５】
したがって、本発明の目的は、例えば、部品点数を抑制でき、電子機器の取り付けのために必要とされる工数を抑制できる被取付部材の取付構造及び該被取付部材の取付構造を備えたスピーカユニットを提供することにある。
【課題を解決するための手段】
【０００６】
前記課題を解決し目的を達成するために、請求項１に記載の本発明の被取付部材の取付構造は、電子機器が取り付けられるとともに、内周面が断面円形の筒状に形成された被取付部材と、前記被取付部材の内周面に設けられかつ該被取付部材の周方向に延在した係止受け部と、前記被取付部材を取り付ける取り付け箇所に取り付けられる固定部材と、前記固定部材から立設して、前記係止受け部と係止可能であるとともに、前記被取付部材の周方向に互いに間隔をあけて複数設けられた係止部と、を備えたことを特徴としている。
【発明を実施するための最良の形態】
【０００７】
以下、本発明の一実施形態にかかる被取付部材の取付構造及びスピーカユニットを説明する。本発明の一実施形態にかかる被取付部材の取付構造は、電子機器を取り付けた被取付部材を筒状に形成して、該被取付部材の内周面に周方向に延在した係止受け部を設け、被取付部材の取り付け箇所に取り付けられる固定部材に係止受け部に係止する係止部を設けることで、被取付部材と固定部材との二つの部材で、電子機器の取り付けを可能としている。また、係止部を係止受け部に対して回転することで、固定部材に対して被取付部材を回転自在として、電子機器の向きを容易に変更可能としている。こうすることで、部品点数の抑制と、電子機器の取り付けにかかる所要工数の抑制を可能としている。
【０００８】
係止部を、被取付部材の周方向に等間隔に配置しても良い。この場合、被取付部材の固定部材に対する固定箇所が、周方向に等間隔に配置されることとなって、固定部材に対して被取付部材を安定させて取り付けることができる。
【０００９】
係止受け部を、被取付部材の全周に設けても良い。この場合、被取付部材を固定部材即ち取り付け箇所に対して３６０度以上回転させることができ、電子機器を如何なる向きにも位置付けることができる。
【００１０】
係止受け部を凹溝とし、該凹溝の内面に凹凸を設けても良い。この場合、被取付部材を回転させると、係止部が凹溝の凸部を乗り越える際にクリック感が生じる。このため、係止部が凹溝の凹部内に位置付けられると、この状態が維持されることとなり、一旦位置決めした被取付部材の向きが不意に変更されることを防止できる。したがって、一旦、位置決めされた電子機器の向きが不意に変更されてしまうことを防止できる。
【００１１】
固定部材の本体部の表面に対して、凹溝が傾く構成としても良い。この場合、被取付部材を如何なる向きとしても、本体部の表面即ち取り付け箇所に相対した使用者に対して、電子機器が相対し易くなる。
【００１２】
前記電子機器をスピーカとし、前記凹溝を前記スピーカの軸芯に直交する方向に対して傾いて配置したスピーカユニットであっても良い。この場合、被取付部材を回転することで、スピーカの向きを容易に変更でき、かつスピーカの向きを変更することで、使用者によって適切な音響効果が得られる向きに該スピーカを位置付けることができる。
【実施例】
【００１３】
本発明の一実施例を、図１ないし図５に基づいて説明する。スピーカユニット１００は、図１に示すように、被取付部材の取付構造（以下、単に取付構造と呼ぶ）１と、スピーカ２とを備えている。取付構造１は、図１に示す電子機器としてのスピーカ２を取り付けた被取付部材としてのカバー部材３を、移動体としての自動車の乗員室の構造物としてのダッシュボード４に取り付ける構造である。
【００１４】
ダッシュボード４は、合成樹脂で構成されており、図２に示すように、前述したカバー部材３が取り付けられる取り付け箇所４ａに孔６が貫通している。孔６の平面形状は、円形である。孔６の裏側には、ナット５（図３に示す）が取り付けられている。ナット５は、前述した孔６と同軸に配置されている。
【００１５】
スピーカ２は、周知の磁気回路部と、該磁気回路部によって振動される振動板を有した振動部などを備えている。磁気回路部や振動部を構成する部品は、円柱状、円筒状又は円環状に形成されており、互いに同軸に配置されている。これらの部品の軸芯を、以下スピーカ２の軸芯Ｐ（図１などに点線で示す）と呼ぶ。この軸芯Ｐは、本発明におけるスピーカ２の向きをなしている。スピーカ２は、振動板に取り付けられたボイスコイルに音声電流が供給されて、該音声電流と磁気回路部とによって、振動板が振動されて、前述した音声電流に応じた音を発生する。
【００１６】
取付構造１は、図２及び図３に示すように、前述したカバー部材３と、固定部材７と、係止受け部としての凹溝８（図３に示す）と、係止部としての係止アーム９と、を備えている。
【００１７】
カバー部材３は、合成樹脂で構成されている。カバー部材３は、図４に示すように、内周面１０の断面形状が円形の筒状に形成されている。カバー部材３は、その外観が裁頭円錐状（円錐台状）に形成されている。カバー部材３は、前述した振動板が外側に露出する格好で、スピーカを小径側の端部内に収容している（取り付けている）。また、内周面１０の軸芯Ｑ（図１中に一点鎖線）とスピーカ２の軸芯Ｐとが互いに交差する状態に、カバー部材３は、スピーカ２を取り付けている。
【００１８】
固定部材７は、円環状に形成されている。固定部材７は、内側にナット５に螺合するねじ１１を通す。固定部材７は、前述した取り付け箇所４ａに重ねられて、内側を通ったねじ１１がナット５に螺合して、前述したダッシュボード４に取り付けられる。
【００１９】
凹溝８は、カバー部材３の内周面１０から凹に形成されて、該カバー部材３の内周面１０の周方向に沿って延在している。凹溝８は、図４に示すように、カバー部材３の内周面１０の全周に亘って設けられている。凹溝８は、カバー部材３の内周面１０の全周に亘って、その断面形状が一定に形成されている。凹溝８は、図３に示すように、前述した軸芯Ｑに対して直交する方向に沿って、延びている。このため、凹溝８は、スピーカ２の軸芯Ｐに対し直交する方向Ｓ（図３中に二点鎖線で示す）に対して、交差している（傾いている）。
【００２０】
係止アーム９は、固定部材７の外縁部に設けられている。係止アーム９は、固定部材７及びカバー部材３の内周面１０の周方向に等間隔に配置されている。係止アーム９は、図示例では、三つ設けられている。係止アーム９は、立設アーム１２と、係止凸部１３とを備えている。
【００２１】
立設アーム１２は、固定部材７の外縁部から立設した柱状に形成されている。即ち、係止アーム９は、固定部材７の外縁部から立設している。立設アーム１２の固定部材７からの突出した長さは、互いに等しい。即ち、係止アーム９の長さは、互いに等しい。立設アーム１２は、弾性変形自在である。係止凸部１３は、立設アーム１２の固定部材７から離れた側の端部に設けられ、該立設アーム１２の端部から固定部材７の外周方向即ちカバー部材３の内周面１０に向かって凸に形成されている。
【００２２】
前述した係止アーム９は、係止凸部１３がカバー部材３の内周面１０に当接したのち、複数の係止アーム９の係止凸部１３が互いに近づく方向に、一旦、弾性変形する。その後、係止アーム９は、係止凸部１３が凹溝８内に位置付けられると、弾性復元力によって、弾性変形していない中立状態に復帰する。そして、係止アーム９は、図５に示すように、係止凸部１３が凹溝８内に位置付けられることで、該凹溝８に係止する。
【００２３】
また、係止アーム９は、凹溝８に係止すると、係止凸部１３が凹溝８内を移動自在となる。即ち、係止凸部１３は、凹溝８の長手方向に沿って、該凹溝８内を移動する。
【００２４】
前述した取付構造１は、係止アーム９が凹溝８に係止することで、固定部材７即ちダッシュボード４にカバー部材３即ちスピーカ２を取り付ける。そして、取付構造１は、凹溝８内を係止凸部１３が移動することで、軸芯Ｑ回りにカバー部材３即ちスピーカ２が回転する。スピーカ２の軸芯Ｐとカバー部材３の内周面１０の軸芯Ｑとが、互いに交差しているので、取付構造１は、軸芯Ｑ回りにカバー部材３を回転させることで、スピーカ２の向きを変更する。このように、取付構造１は、凹溝８内の係止凸部１３の移動を許容して、カバー部材３の軸芯Ｑ回りの回転を許容して、スピーカ２の向きの変更を許容している。
【００２５】
本実施例によれば、カバー部材３を筒状に形成し、該カバー部材３の内周面１０に周方向に延在した凹溝８を設け、固定部材７から立設しかつ凹溝８に係止する係止アーム９を設けている。このように、カバー部材３と固定部材７との二つの部材で、スピーカ２のダッシュボード４への取り付けが可能となる。
【００２６】
また、係止アーム９の係止凸部１３を凹溝８内で移動自在として、カバー部材３を固定部材７に対して回転自在としているので、スピーカ２の向きを容易に変更可能としている。
【００２７】
したがって、取付構造１は、スピーカ２の向きを容易に変更可能としながら、部品点数の抑制とスピーカ２の取り付けにかかる所要工数の抑制を可能としている。
【００２８】
また、係止アーム９を、カバー部材３の内周面１０及び固定部材７の周方向に等間隔に配置している。このため、カバー部材３の固定部材７に対する固定箇所が、該カバー部材３や固定部材７の周方向に等間隔に配置されることとなって、固定部材７に対してカバー部材３を安定させて取り付けることができる。
【００２９】
係止受け部としても凹溝８をカバー部材３の内周面１０の全周に設けている。このため、カバー部材３を固定部材７即ちダッシュボード４の取り付け箇所４ａに対して３６０度以上回転させることができる。したがって、スピーカ２を如何なる向きにも位置付けることができる。
【００３０】
凹溝８を前記スピーカ２の軸芯Ｐに直交する方向に対して傾いて配置しているので、スピーカ２の軸芯Ｐと、カバー部材３の回転中心をなす軸芯Ｑとが互いに交差する。このため、カバー部材３を回転することで、スピーカ２の向きを容易に変更でき、かつスピーカ２の向きを変更することで、使用者によって適切な音響効果が得られる向きに該スピーカ２を位置付けることができる。
【００３１】
前述した実施例では、凹溝８の断面形状を、カバー部材３の内周面１０の全周即ち該凹溝８の全長に亘って、一定に形成している。しかしながら、本発明では、図６及び図７に示すように、凹溝８の内面に凹凸１４を形成しても良い。なお、図６及び図７において、前述した実施例と同一部分には、同一符号を付して説明を省略する。
【００３２】
図６に示す場合では、凹溝８の内面としての互いに相対する一対の内側面８ａ，８ａ各々に前述した凹凸１４を設けている。凹凸１４は、凹溝８の内側に向かって凸の凸部１５と、凹溝８の内面から凹の凹部１６とが、該凹溝８の長手方向即ちカバー部材３の内周面１０の周方向に交互に設けられて、形成されている。また、凹凸１４は、凸部１５同士が相対し、凹部１６同士が相対している。図６に示す場合では、凹凸１４によって、凹溝８の幅が狭い部分と幅が広い部分とが設けられている。
【００３３】
図７に示す場合では、凹溝８の内面としてのカバー部材３の内側に相対する底面８ｂに前述した凹凸１４を設けている。凹凸１４は、勿論、カバー部材３の内側に向かって凸の凸部１５と、凹溝８の底面８ｂから凹の凹部１６とが、該凹溝８の長手方向即ちカバー部材３の内周面１０の周方向に交互に設けられて、形成されている。図７に示す場合では、凹凸１４によって、凹溝８の深さが浅い部分と深さが深い部分とが設けられている。
【００３４】
図６及び図７に示す場合では、カバー部材３即ちスピーカ２を回転すると、凹溝８内を係止凸部１３が移動する際に、該係止凸部１３が凸部１５に乗り上げる際には立設アーム１２が弾性変形し、該係止凸部１３が凹部１６内に位置する際には立設アーム１２が弾性変形していない中立状態に復帰する。こうして、図６及び図７に示す場合では、カバー部材３即ちスピーカ２を回転すると、係止アーム９の立設アーム１２が弾性変形したり中立状態に復帰して、クリック感が使用者に付与される。勿論、係止アーム９の立設アーム１２が弾性変形するとカバー部材３を回転しにくくなり、係止アーム９の立設アーム１２が中立位置に復帰するとカバー部材３を回転し易くなる。
【００３５】
図６及び図７に示す場合では、係止受け部を凹溝８とし、該凹溝８の内面に凹凸１４を設けているので、カバー部材３を回転させると、係止アーム９の係止凸部１３が凹溝８の凸部１５を乗り越える際にクリック感が生じる。このため、係止アーム９の係止凸部１３が凹溝８の凹部１６内に位置付けられると、該係止凸部１３が凹溝８の凸部１５と干渉して、この状態が維持されることとなり、一旦位置決めしたカバー部材３の向きが不意に変更されることを防止できる。したがって、一旦、位置決めされたスピーカ２の向きが不意に変更されてしまうことを防止できる。
【００３６】
また、前述した実施例では、複数の係止アーム９の長さを等しくしている。しかしながら、本発明では、図８に示すように、係止アーム９の長さを互いに異ならせ、凹溝８に係止凸部１３が係止すると、該凹溝８を固定部材７の表面に対して傾かせても良い。即ち、カバー部材３即ちスピーカ２の回転中心Ｒ（凹溝８に直交する方向）を、前述したカバー部材３の内周面１０の軸芯Ｑに対して傾かせても良い。このように、本発明では、凹溝８に係止アーム９を係止させると、固定部材７即ちダッシュボード４の取り付け箇所４ａの表面に対して、凹溝８が傾く構成としても良い。
【００３７】
この場合、カバー部材３を如何なる向きとしても、固定部材７の表面即ち取り付け箇所４ａに相対した使用者に対して、スピーカ２が相対し易くなる。したがって、より良好な音響特性を得ることができる。
【００３８】
前述した実施例では、凹溝８即ち係止受け部をカバー部材３の内周面１０の全周に設けている。しかしながら、本発明では、凹溝８即ち係止受け部をカバー部材３の内周面１０の全周に設けなくても良い。
【００３９】
また、前述した実施例では、係止受け部を凹溝８とし、係止部を先端に係止凸部１３を設けた係止アーム９としている。しかしながら、本発明では、係止受け部をカバー部材３の内周面１０から凸の突起としても良く、係止部を先端に凹みを設けた係止アーム９としても良い。要するに、本発明では、係止受け部と係止部とを如何なる構成としても良い。
【００４０】
本発明では、係止部をカバー部材３の内周面１０の周方向に等間隔に配置しなくても良い。要するに、本発明では、複数の係止部をカバー部材３の内周面１０の周方向に間隔をあけて配置すれば良い。
【００４１】
前述した実施例では、構造物として自動車のダッシュボード４を示しているが、本発明では、自動車のダッシュボード４以外の種々の構造物にスピーカ２を取り付けも良い。本発明では、自動車に限定されることなく種々の構造物にスピーカ２を取り付けても良いことは勿論である。さらに、本発明では、スピーカ２に限らず種々の電子機器を取り付けても良い。
【００４２】
前述した実施例によれば、以下の取付構造１が得られる。
（付記）  スピーカ２が取り付けられるとともに、内周面１０が断面円形の筒状に形成されたカバー部材３と、
前記カバー部材３の内周面１０に設けられかつ該カバー部材３の周方向に延在した凹溝８と、
前記カバー部材３を取り付ける取り付け箇所４ａに取り付けられる固定部材７と、
前記固定部材７から立設して、前記凹溝８と係止可能であるとともに、前記カバー部材３の周方向に互いに間隔をあけて複数設けられた係止アーム９と、
を備えたことを特徴とする被取付部材の取付構造１。
【００４３】
付記によれば、カバー部材３を筒状に形成し、該カバー部材３の内周面１０に周方向に延在した凹溝８を設け、固定部材７から立設しかつ凹溝８に係止する係止アーム９を設けている。このように、カバー部材３と固定部材７との二つの部材で、スピーカ２の取り付け箇所４ａへの取り付けが可能となる。
【００４４】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４５】
【図１】本発明の一実施例にかかる取付構造を示す斜視図である。
【図２】図１に示された取付構造の分解斜視図である。
【図３】図１に示された取付構造を一部断面で示した側面図である。
【図４】図２中のＩＶ−ＩＶ線に沿う断面図である。
【図５】図３に示された取付構造の要部を拡大して示す断面図である。
【図６】図３に示された取付構造の変形例を一部断面で示す側面図である。
【図７】図４に示された取付構造の他の変形例の断面図である。
【図８】図３に示された取付構造の更に別の変形例を一部断面で示す側面図である。
【符号の説明】
【００４６】
１  被取付部材の取付構造
２  スピーカ（電子機器）
３  カバー部材（被取付部材）
４ａ  取り付け箇所
７  固定部材
８  凹溝（係止受け部）
８ａ  内側面（内面）
８ｂ  底面（内面）
９  係止アーム（係止部）
１０  内周面
１４  凹凸
１５  凸部
１６  凹部
１００  スピーカユニット
Ｐ  軸芯（電子機器の向き）
Ｓ  スピーカの軸芯に対し直交する方向
【図１】
2007221261.tif 000003
【図２】
2007221261.tif 000004
【図３】
2007221261.tif 000005
【図４】
2007221261.tif 000006
【図５】
2007221261.tif 000007
【図６】
2007221261.tif 000008
【図７】
2007221261.tif 000009
【図８】
2007221261.tif 000010